【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
ディスプレイをユーザが選択した位置及び姿勢にて支持構造に対して支持するためのディスプレイ支持装置であって、
支持構造への取付けに適したベース部と、
第１のアームであって、該第１のアームとベース部との間において第１の枢動軸線周りの回転範囲を有する第１のアームと、
第２のアームであって、第１のアームと第２のアームとの間において第２の枢動軸線周りの回転範囲を有する第２のアームと、
第１のアームのベース部に対する第１の枢動軸線周りの回転範囲を制限する回転止め部と、
第２の枢動軸線を含み且つ第２のアームの第２の枢動軸線周りの回転範囲によって規定される角度を二分する平面にベース部に対する一定の方向付けを与えるための機構と、
を備えるディスプレイ支持装置。
【請求項２】
第２の枢動軸線を含み且つ第２のアームの第２の枢動軸線周りの回転範囲によって規定される角度を二分する平面にベース部に対する一定の方向付けを与えるための機構が、トルク伝達機構を備えることを特徴とする請求項１に記載のディスプレイ支持装置。
【請求項３】
トルク伝達機構が、
第１のプーリと、
第２のプーリと、
第１のプーリと第２のプーリの周囲に掛けられたベルトと、
を備えることを特徴とする請求項２に記載のディスプレイ支持装置。
【請求項４】
第２のアームが長手軸線を有し、
ディスプレイ支持装置が、更に、
第２のアームに取り付けられるディスプレイ取付ブラケットと、
第２のアームの長手軸線が垂直面内において水平軸線の周りを回動することによってディスプレイが垂直方向に昇降されるときにおいてもディスプレイ取付ブラケットにベース部に対する一定の方向付けを付与する機構と、
を備えることを特徴とする請求項１に記載のディスプレイ支持装置。
【請求項５】
ディスプレイが垂直方向に昇降されるときにおいてもディスプレイ取付ブラケットにベース部に対する一定の方向付けを付与する機構が、
第２のアームを形成する４リンク構造を備えることを特徴とする請求項４に記載のディスプレイ支持装置。
【請求項６】
４リンク構造が、
第１のアームに枢動自在に取り付けられる第１の関節と、
第１の関節に枢動自在に取り付けられる第１の長手方向リンクと、
第１の関節に枢動自在に取り付けられる第２の長手方向リンクと、
第１の長手方向リンク及び第２の長手方向リンクの双方に枢動自在に取り付けられる第２の関節と、
を備えることを特徴とする請求項５に記載のディスプレイ支持装置。
【請求項７】
第２のアームは、２軸ピボット接続部によってディスプレイ取付ブラケットに取り付けられ、接続部によって、ディスプレイ取付ブラケットは垂直方向の枢動軸線と水平方向の枢動軸線の双方の周りを枢動可能となることを特徴とする請求項６に記載のディスプレイ支持装置。
【請求項８】
４リンク構造が、更に、
第１の関節によって調節可能に支持される第１の端部と、第１の関節から少し離れたところで枢動自在に支持される第２の端部とを有するガスストラットを備えることを特徴とする請求項７に記載のディスプレイ支持装置。
【請求項９】
ガスストラットの第２の端部は第２の関節によって枢動自在に支持されることを特徴とする請求項８に記載のディスプレイ支持装置。
【請求項１０】
４リンク構造が、更に、
第１の関節によって調節可能に支持される第１の端部と、第１の関節から少し離れたところで枢動自在に支持される第２の端部とを有するガスストラットを備えることを特徴とする請求項６に記載のディスプレイ支持装置。
【請求項１１】
ガスストラットの第２の端部は、第２の関節によって枢動自在に支持されることを特徴とする請求項１０に記載のディスプレイ支持装置。
【請求項１２】
第２のアームは、２軸ピボット接続部によってディスプレイ取付ブラケットに取り付けられ、接続部によって、ディスプレイ取付ブラケットは垂直方向の枢動軸線と水平方向の枢動軸線の双方の周りを枢動可能となることを特徴とする請求項４に記載のディスプレイ支持装置。
【請求項１３】
第２の枢動軸線を含み且つ第２のアームの第２の枢動軸線周りの回転範囲によって規定される角度を二分する平面にベース部に対する一定の方向付けを与えるための機構が、
トルク伝達機構を備えることを特徴とする請求項４に記載のディスプレイ支持装置。
【請求項１４】
トルク伝達機構が、
第１のプーリと、
第２のプーリと、
第１のプーリと第２のプーリの周囲に掛けられたベルトと、
を備えることを特徴とする請求項１３に記載のディスプレイ支持装置。
【請求項１５】
第２の枢動軸線を含み且つ第２のアームの第２の枢動軸線周りの回転範囲によって規定される角度を二分する平面にベース部に対する一定の方向付けを与えるための機構が、
トルク伝達機構を備えることを特徴とする請求項９に記載のディスプレイ支持装置。
【請求項１６】
トルク伝達機構が、
第１のプーリと、
第２のプーリと、
第１のプーリと第２のプーリの周囲に掛けられたベルトと、
を備えることを特徴とする請求項１５に記載のディスプレイ支持装置。
【請求項１７】
ユーザが選択した位置及び姿勢にて、ディスプレイを支持構造に対して支持するためのディスプレイ支持装置であって、
支持構造への取付けに適したベース部と、
第１のアームであって、第１のアームとベース部との間において第１の枢動軸線周りの回転範囲を有する第１のアームと、
第２のアームであって、第１のアームと第２のアームとの間において第２の枢動軸線周りの回転範囲を有し、且つ長手軸線を有する第２のアームと、
第１のアームのベース部に対する第１の枢動軸線周りの回転範囲を制限する回転止め部と、
第２のアームに取り付けられるディスプレイ取付ブラケットと、
を備えるディプレイ支持装置において、
第２のアームが４リンク構造によって形成され、且つ４リンク構造が、
第１のアームに枢動自在に取り付けられる第１の関節と、
第１の関節に枢動自在に取り付けられる第１の長手方向リンクと、
第１の関節に枢動自在に取り付けられる第２の長手方向リンクと、
第１の長手方向リンク及び第２の長手方向リンクの双方に枢動自在に取り付けられる第２の関節と、
第１の端部と第２の端部とを有し第１の関節と第２の関節との間に設けられるガスストラットと、
を備えることを特徴とするディスプレイ支持装置。
【請求項１８】
ガスストラットの第１の端部は第１の関節によって調節可能に支持され、ガスストラットの第２の端部は第１の関節から少し離れたところで枢動自在に支持されることを特徴とする請求項１７に記載のディスプレイ支持装置。
【請求項１９】
ガスストラットの第２の端部は第２の関節によって枢動自在に支持されることを特徴とする請求項１８に記載のディスプレイ支持装置。
【請求項２０】
第２のアームは２軸ピボット接続部によってディスプレイ取付ブラケットに取り付けられ、接続部によって、ディスプレイ取付ブラケットは垂直方向の枢動軸線と水平方向の枢動軸線の双方の周りを枢動可能となることを特徴とする請求項１８に記載のディスプレイ支持装置。
【請求項２１】
第２の枢動軸線を含み且つ第２のアームの第２の枢動軸線周りの回転範囲によって規定される角度を二分する平面にベース部に対する一定の方向付けを与えるための機構を更に備えることを特徴とする請求項１７に記載のディスプレイ支持装置。
【請求項２２】
第２の枢動軸線を含み且つ第２のアームの第２の枢動軸線周りの回転範囲によって規定される角度を二分する平面にベース部に対する一定の方向付けを与えるための機構が、
トルク伝達機構を備えることを特徴とする請求項２１に記載のディスプレイ支持装置。
【請求項２３】
トルク伝達機構が、
第１のプーリと、
第２のプーリと、
第１のプーリと第２のプーリの周囲に掛けられたベルトと、
を備えることを特徴とする請求項２２に記載のディスプレイ支持装置。
【請求項２４】
ディスプレイをユーザが選択した位置及び姿勢にて支持構造に対して支持するためのディスプレイ支持装置であって、
第一の端部と、第二の端部と、第一の端部を通る垂直軸の回りを回転するアームであって、前記第一の端部で第１の関節及び前記第二の端部で第２の関節に枢動自在に取付けられる第１の長手方向リンクと、前記第一の端部で前記第１の関節及び前記第二の端部で前記第２の関節に枢動自在に取付けられる第２の長手方向リンクと、前記第１の長手方向リンク及び前記第２の長手方向リンクとの間に配置されたガスストラット、を備えたアームと、
前記アームの前記第二の端部に取付けられディスプレイ取付ブラケット（２５６）と、
調整ブリッジによってガスストラットに連結された前記第１の関節（２７２）内で軸方向に拘束される調整ねじ（３７０）であって、該調整ねじの回転が、前記調整ブリッジを前記調整ねじに沿って移動させ、前記アームによって付与される垂直方向の推力を変化させ、ディスプレイ取付ブラケットに取付けられた様々な重さの対象物に対応し得るようにする調整ねじ（３７０）と、
を備えたことを特徴とするディスプレイ支持装置。